(57)【要約】      （修正有）【課題】ゲームソフトプログラムを格納した携帯型ビデオゲーム機、携帯型電話機等を利用して、特定な商品の取り扱い説明等を格納した情報端末装置を提供する。【解決手段】特定な商品についての取り扱い説明もしくは操作説明についての映像データまたは音声データを格納するデータ格納手段を内蔵し、前記映像データまたは音声データに基づいて映像再生または音声再生をするディスプレイ２Ｍ，２Ｓ、音声再生手段７Ｌ，７Ｒとが備えられる。この携帯型情報端末装置１の外郭を構成するケースには、前記特定な商品もしくはこの商品を提供する社名を示す文字、図形またはロゴマーク８が施されている。これにより、この携帯型情報端末装置１には、特定な商品に関する取り扱い説明等が格納されていることを即座に見分けることができる。【選択図】図１Ａ
0003170582.tif 000002
【実用新案登録請求の範囲】
【請求項１】
ゲームソフトプログラムを格納した携帯型ビデオゲーム機、携帯型電話機を含む携帯型情報端末装置であって、
前記携帯型情報端末装置以外の特定な商品の取り扱い説明もしくは操作説明についての映像データまたは音声データを格納するデータ格納手段を内蔵し、前記映像データまたは音声データに基づいて映像再生または音声再生をするディスプレイまたは音声再生手段とを備え、
前記携帯型情報端末装置の外郭を構成するケースには、前記特定な商品またはこの商品を提供する社名を示す文字、図形またはロゴマークが施されていることを特徴とする携帯型情報端末装置。
【請求項２】
前記情報端末装置には、２つのディスプレイが備えられていることを特徴とする請求項１に記載された携帯型情報端末装置。
【請求項３】
前記取り扱い説明もしくは操作説明についての映像データまたは音声データを、外部メモリから前記データ格納手段に格納可能に構成されていることを特徴とする請求項１または請求項２に記載された携帯型情報端末装置。
【請求項４】
前記ゲームソフトプログラムを、外部メモリから前記データ格納手段に格納可能に構成されていることを特徴とする請求項１または請求項２に記載された携帯型情報端末装置。
【考案の詳細な説明】
【技術分野】
【０００１】
この考案は、ゲームソフトプログラムを格納した携帯型ビデオゲーム機などを利用し、例えば自動車や家電製品、その他の機器類などの商品を対象とした取り扱い説明もしくは操作説明が、再生できるようになされた携帯型情報端末装置に関する。
【背景技術】
【０００２】
自動車や家電製品、その他の機器類を購入した場合には、その取り扱い説明もしくは操作説明等が、写真やイラストを含めて文章により記述されて小冊子（取り扱い説明書）にまとめられ、これが商品に付属された状態で提供されている。
このように印刷により小冊子にまとめられた取り扱い説明書は、熟読するには抵抗感があり、他の雑紙等と一緒に積み重ねられて紛失するなどの問題も抱えている。
【０００３】
一方、昨今においてはゲームソフトプログラムを格納した数多くの携帯型ビデオゲーム機など（例えば特許文献１）が提供されており、携帯型電話機においても同様のゲームソフトプログラムが格納されたもの（例えば特許文献２）が提供されている。
【先行技術文献】
【特許文献】
【０００４】
【特許文献１】特開２００６−３１８８７２号公報
【特許文献２】特開２００９−６５２８７号公報
【考案の概要】
【考案が解決しようとする課題】
【０００５】
この考案は、自動車や家電製品その他の機器類など、特定な商品に関する操作説明もしくは取り扱い説明についての電子データを、前記したゲームソフトプログラムを格納した携帯型ビデオゲーム機や携帯型電話機を利用して提供しようとするものであり、特定な商品についての取り扱い説明等が格納されている情報端末装置であることが容易に識別できるようにした携帯型情報端末装置を提供することを課題とするものである。
【課題を解決するための手段】
【０００６】
前記した課題を解決するためになされたこの考案にかかる携帯型情報端末装置は、ゲームソフトプログラムを格納した携帯型ビデオゲーム機、携帯型電話機を含む携帯型情報端末装置であって、前記携帯型情報端末装置以外の特定な商品の取り扱い説明もしくは操作説明についての映像データまたは音声データを格納するデータ格納手段を内蔵し、前記映像データまたは音声データに基づいて映像再生または音声再生をするディスプレイまたは音声再生手段とを備え、前記携帯型情報端末装置の外郭を構成するケースには、前記特定な商品またはこの商品を提供する社名を示す文字、図形またはロゴマークが施されていることを特徴とする。
【０００７】
この場合、携帯型情報端末装置として、２つのディスプレイを備えた構成を好適に採用することができる。
【０００８】
加えて、前記取り扱い説明もしくは操作説明についての映像データまたは音声データを、外部メモリから前記データ格納手段に格納可能に構成されていることが望ましく、また前記ゲームソフトプログラムを、外部メモリから前記データ格納手段に格納可能に構成されていることが望ましい。
【考案の効果】
【０００９】
前記した携帯型情報端末装置によると、ゲームソフトプログラムを格納した携帯型ビデオゲーム機、携帯型電話機等を利用して、特定な商品の取り扱い説明もしくは操作説明が、映像または音声により再生されるので、従来からの印刷物による取り扱い説明書等を熟読しなければならない抵抗感から開放される。
また携帯型情報端末装置の外郭を構成するケースには、特定な商品もしくはこの商品を提供する社名を示す文字、図形またはロゴマークが施されているので、特定な商品の取り扱い説明等が格納されている情報端末装置であることを即座に見分けることができる。
【図面の簡単な説明】
【００１０】
【図１Ａ】この考案に係る携帯型情報端末装置の一例を示した正面図である。
【図１Ｂ】同じく携帯型情報端末装置を折り畳んだ状態で示した正面図である。
【図２】この考案に係る携帯型情報端末装置の他の例を示した正面図である。
【図３】この考案に係る携帯型情報端末装置のさらに他の例を示した正面図である。
【図４】図１Ａに示した携帯型情報端末装置の内部機能の例を示したブロック図である。
【考案を実施するための形態】
【００１１】
以下、この考案にかかる携帯型情報端末装置について、図に示す実施の形態に基づいて説明する。
図１Ａおよび図１Ｂは、２つのディスプレイを備えた携帯型情報端末装置、すなわちゲームソフトプログラムを格納した携帯型ビデオゲーム機の一例を示したものであり、図１Ａはこれを開いた状態、図１Ｂは閉じた状態をそれぞれ正面図で示したものである。
前記情報端末装置１は、それぞれが矩形状にして偏平状に形成された主ケース１Ｍおよび副ケース１Ｓを備え、これらの長辺の端部が図１Ｂに示すヒンジ１ａを介して連結され、互いに開閉可能となるように構成されている。
【００１２】
前記主ケース１Ｍおよび副ケース１Ｓが開いた状態を示す図１Ａにおいて、主ケース１Ｍおよび副ケース１Ｓのそれぞれ中央部を占めるようにして、例えば有機ＥＬ素子もしくはＬＣＤによる第１ディスプレイ２Ｍおよび第２ディスプレイ２Ｓが配置されている。
前記主ケース１Ｍ側に配置された第１ディスプレイ２Ｍの左側には、パワースイッチ３、十字キー４が配置され、ディスプレイ２Ｍの右側にはＸＹキー５、その他の操作キー６が配置されている。
【００１３】
前記副ケース１Ｓ側に配置された第２ディスプレイ２Ｓの左右には、音声再生手段を構成するスピーカ７Ｌ，７Ｒが配置されている。
また前記第１および第２ディスプレイ２Ｍ，２Ｓの表面には、それぞれタッチスクリーンが形成されており、当該タッチスクリーンによる入力手段も併用されるように構成されている。
【００１４】
加えて、前記主ケース１Ｍに配置された第１ディスプレイ２Ｍの下側には、特定な商品もしくはこの商品を提供する社名を示す文字、図形またはロゴマーク８が施されている。
また、図１Ｂに示すようにヒンジ１ａを利用して情報端末装置１を閉じた状態におけるその正面、すなわち副ケース１Ｓの裏面中央には、同様に特定な商品もしくはこの商品を提供する社名を示す文字、図形またはロゴマーク９が施されている。
なお、符号は付けていないが、前記主ケース１Ｍの側面には、例えばゲームソフトを格納したフラッシュメモリ等による外部メモリが装着されるスロットが形成されている。
【００１５】
なお、図１Ａにおいては、ディスプレイ２Ｍにおいて、特定な商品についての取り扱い説明（操作説明）、すなわちＡＢＣ社製の自動車の取り扱い説明におけるトップ画面が表示された状態を示している。
前記したとおり、主ケース１Ｍおよび副ケース１Ｓの裏面には、ＡＢＣ社のロゴマーク８，９が示されており、したがってこの携帯型端末装置１には、ＡＢＣ社製自動車の取り扱い説明が格納されていることが認識できる。
【００１６】
図２は、１つのディスプレイを備えた携帯型情報端末装置１として、ゲームソフトプログラムを格納した携帯型ビデオゲーム機の他の例を示したものである。なお、図２においては図１Ａに示す各部と同一の機能を果たす部分を同一符号で示しており、したがってその詳細な説明は省略する。
【００１７】
この図２に示す例においては、情報端末装置１の中央を占めるようにして１つのディスプレイ２が配置されている。このディスプレイ２においても、タッチスクリーンが形成されており、当該タッチスクリーンによる入力手段も併用されるように構成されている。
加えて、この情報端末装置１においては、音声再生手段を構成するスピーカは、図の裏面に配置されるか、もしくは図示せぬヘッドホーンジャックに接続されるヘッドホーンを利用して再生音を聴取するようになされる。
【００１８】
図３は、ゲームソフトプログラムを格納した情報端末装置１として、携帯型電話機の例を示したものである。なお、図３においては図１Ａに示す各部と同一の機能を果たす部分を同一符号で示しており、したがってその詳細な説明は省略する。
【００１９】
この例においても、図２に示した例と同様に情報端末装置１の中央の大部分を占めるようにして１つのディスプレイ２が配置されている。そして、このディスプレイ２においても、タッチスクリーンが形成されており、当該タッチスクリーンによる入力手段も併用されるように構成されている。加えて、この情報端末装置１における音声再生手段は、図３に符号７で示す受話器を利用するか、もしくは図の裏面に配置されるスピーカを利用することができる。
【００２０】
図４は、前記した携帯型情報端末装置１の内部機能をブロック図で示したものであり、一例として図１Ａおよび図１Ｂに示した情報端末装置１の内部機能を示している。しかし、図２および図３に示した情報端末装置１についても、その内部機能はほぼ同様である。
【００２１】
この情報端末装置１には、バスライン１１およびこれに接続されたシステム全体を管理するホストＣＰＵ１２が具備され、前記ホストＣＰＵ１２を動作させるシステムプログラムが格納されたプログラムＲＯＭ１３と、そのワーク領域を確保するワークＲＡＭ１４が前記バスライン１１に接続されている。
【００２２】
また、検索や制御を指令する操作部である図１に示した十字キー４、ＸＹキー５等からのキー入力を、前記バスライン１１を介してホストＣＰＵ１２に伝えるキー入力インターフェース１５、同じく検索や制御を指令する操作部であるディスプレイ２Ｍ，２Ｓに施されたタッチスクリーンからの入力を、前記バスライン１１を介してホストＣＰＵ１２に伝えるタッチセンサインターフェース１６が前記バスライン１１に接続されている。
【００２３】
さらに、ゲームソフト等を格納した外部メモリ（フラッシュメモリ）からのデータを取り込む外部メモリインターフェース１７、前記インターフェース１７を介して取り込まれたゲームソフト等のデジタルデータおよび前記した自動車の取り扱い説明等を含むデジタルデータを格納するデータ格納手段１８、前記ホストＣＰＵ１２の指示にしたがって、データ格納手段１８からのデジタルデータに基づいて文字映像を生成するキャラクタジェネレータ１９がさらに具備され、これらは前記バスライン１１に接続されている。
【００２４】
また、前記キャラクタジェネレータ１９によって生成された文字映像のビットマップデータをビデオコントローラ２０を介して一時的に格納するＤＲＡＭ２１、前記ＤＲＡＭ２１に格納された前記ビットマップデータを文字映像として展開するビデオデコーダ２２が具備され、このビデオデコーダ２２からの映像信号がディスプレイ２（２Ｍ，２Ｓ）に供給されて、映像として再生される。
【００２５】
一方、ホストＣＰＵ１２の指示により、データ格納手段１８から圧縮された音声情報（ＡＤＰＣＭ）がＰＣＭデコーダ２３に転送され、ＰＣＭデコーダ２３によってアナログ音声信号に復調されてオーディオ信号処理回路２４に供給されるように構成されている。
オーディオ信号処理回路２４は、音声信号を電力増幅するなどして音声再生手段としてのスピーカ７（７Ｌ，７Ｒ）を駆動し、前記ディスプレイ２（２Ｍ，２Ｓ）において再生される映像に対応した音声が再生される。
【００２６】
前記した携帯型情報端末装置１においては、必要に応じて前記スロットに外部メモリを装着することで、ゲームソフトをデータ格納手段１８にインストール（格納）することができる。そして、データ格納手段１８に格納されたゲームソフトを利用し、操作キー４〜６の操作、もしくはディスプレイ２Ｍ，２Ｓ上を適宜タッチ操作することで、テレビゲームを楽しむことができる。
また、前記データ格納手段１８には、例えば自動車の取り扱い説明もしくは操作説明等を含むデジタルデータを、前記スロットを利用して外部メモリから取り込むことができ、前記した操作キー４〜６の操作、もしくはディスプレイ２Ｍ，２Ｓ上をタッチ操作することで、ＡＢＣ社製自動車の取り扱い説明等を、映像と音声により再生することができる。
【００２７】
以上のとおり、この発明に係る携帯型情報端末装置１によると、ゲームソフトプログラムを格納した携帯型ビデオゲーム機、携帯型電話機等の携帯型情報端末装置を利用して、特定な商品の取り扱い説明もしくは操作説明を、映像および音声データを利用して、逐次再生が可能であり、特定な商品について印刷物による取り扱い説明書等を熟読しなければならない抵抗感から開放される。
【００２８】
また情報端末装置１の外郭を構成するケースには、特定な商品もしくはこの商品を提供する社名を示す文字、図形またはロゴマークが施されているので、特定な商品の取り扱い説明等が格納されている情報端末装置であることを即座に見分けることができるなど、前記した考案の効果の欄に記載したとおりの作用効果を得ることができる。
【００２９】
なお、以上の説明においては、特定な商品についての取り扱い説明もしくは操作説明が、映像および音声により再生可能になされている例を示したが、前記取り扱い説明もしくは操作説明は、ディスプレイによる映像のみ、もしくは音声のみを再生するように構成される場合もあり、このように映像もしくは音声のみであっても、同様の作用効果を期待することができる。
【符号の説明】
【００３０】
１          情報端末装置
１Ｍ，１Ｓ  ケース
２          ディスプレイ
２Ｍ，２Ｓ  主副ディスプレイ
３〜６      操作キー
７          音声再生手段（スピーカ）
８，９      ロゴマーク
１１        バスライン
１２        ホストＣＰＵ
１３        プログラムＲＯＭ
１４        ワークＲＡＭ
１５        キー入力インターフェース
１６        タッチセンサインターフェース
１７        外部メモリインターフェース
１８        データ格納手段
１９        キャラクタジェネレータ
２０        ビデオコントローラ
２１        ＤＲＡＭ
２２        ビデオデコーダ
２３        ＰＣＭデコーダ
２４        オーディオ信号処理回路
【図１Ａ】
0003170582.tif 000003
【図１Ｂ】
0003170582.tif 000004
【図２】
0003170582.tif 000005
【図３】
0003170582.tif 000006
【図４】
0003170582.tif 000007